【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
トークン内で使用される方法であって、
チャレンジを受信することと、
前記チャレンジのソースを人間可読フォームで表示することと
を備えた方法。
【請求項２】
前記チャレンジをデジタル署名し、署名チャレンジにすることを更に備えた請求項１に記載の方法。
【請求項３】
前記チャレンジをデジタル署名することは、同一のチャレンジが提供された場合、常に同一の署名チャレンジにする署名処理を用いることを備えた請求項２に記載の方法。
【請求項４】
前記チャレンジをデジタル署名することは、前記チャレンジを秘密鍵と組み合わせることを備えた請求項２に記載の方法。
【請求項５】
前記チャレンジをデジタル署名することは、
前記チャレンジを秘密鍵及び擬似乱数と組み合わせることと、
その後、前記擬似乱数を、前記擬似乱数の相関とともに、前記チャレンジへ格納することと
を備えた請求項２に記載の方法。
【請求項６】
前記署名チャレンジを送信することを更に備えた請求項２に記載の方法。
【請求項７】
前記署名チャレンジを送信することは、前記署名チャレンジを表す音信号を送信することを備えた請求項６に記載の方法。
【請求項８】
前記チャレンジを受信することは、前記チャレンジを表す音信号を受信することを備えた請求項１に記載の方法。
【請求項９】
チャレンジを受信する手段と、
前記チャレンジのソースを人間可読フォームで表示する手段と
を備えたトークン。
【請求項１０】
前記チャレンジをデジタル署名し、署名チャレンジにする手段を更に備えた請求項９に記載のトークン。
【請求項１１】
前記チャレンジをデジタル署名する手段は、同一のチャレンジが提供された場合、常に同一の署名チャレンジにする署名処理を用いる請求項１０に記載のトークン。
【請求項１２】
前記チャレンジをデジタル署名する手段は、前記チャレンジを秘密鍵と組み合わせる手段を備えた請求項１０に記載のトークン。
【請求項１３】
前記チャレンジをデジタル署名する手段は、
前記チャレンジを秘密鍵及び擬似乱数と組み合わせる手段と、
その後、前記擬似乱数を、前記擬似乱数の相関とともに、前記チャレンジへ格納する手段と
を備えた請求項１０に記載のトークン。
【請求項１４】
前記署名チャレンジを送信する手段を更に備えた請求項１０に記載のトークン。
【請求項１５】
前記署名チャレンジを送信する手段は、前記署名チャレンジを表す音信号を送信する手段を備えた請求項１４に記載のトークン。
【請求項１６】
前記チャレンジを受信する手段は、前記チャレンジを表す音信号を受信する手段を備えた請求項９に記載のトークン。
【請求項１７】
チャレンジを受信するように構成されたマイクロプロセッサと、
前記チャレンジのソースを人間可読フォームで表示するように構成されたディスプレイと
を備えたトークン。
【請求項１８】
前記マイクロプロセッサは、前記チャレンジをデジタル署名し、署名チャレンジにするように構成された請求項１７に記載のトークン。
【請求項１９】
請求項１８に記載のトークンにおいて、
秘密鍵を格納するように構成されたデータストアを更に備え、
前記マイクロプロセッサは、前記チャレンジを前記秘密鍵と組み合わせることによって、前記チャレンジをデジタル署名するトークン。
【請求項２０】
請求項１８に記載のトークンにおいて、
秘密鍵を格納するように構成されたデータストアと、
擬似乱数を生成するように構成された擬似乱数生成器とを更に備え、
前記マイクロプロセッサは、前記チャレンジを前記秘密鍵及び前記擬似乱数と組み合わせることにより、前記チャレンジをデジタル署名し、
前記データストアは、前記擬似乱数を、前記擬似乱数の相関とともに、前記チャレンジへ格納するトークン。
【請求項２１】
請求項１８に記載のトークンにおいて、
前記署名チャレンジを表す音信号を送信するように構成されたスピーカを更に備えたトークン。
【請求項２２】
請求項１７に記載のトークンにおいて、
前記チャレンジを表す音信号を受信するように構成されたマイクロフォンを更に備え、
前記マイクロプロセッサは、前記マイクロフォンから前記チャレンジを受信するトークン。
【請求項２３】
トークン内で使用されるプロセッサであって、
チャレンジを受信することと、
前記チャレンジのソースを人間可読フォームで表示することと
を制御するように構成されたプロセッサ。
【請求項２４】
請求項２３に記載のプロセッサにおいて、
前記チャレンジをデジタル署名し、署名チャレンジにすることを制御するように更に構成されたプロセッサ。
【請求項２５】
請求項２４に記載のプロセッサにおいて、
前記署名チャレンジを送信することを制御するように更に構成されたプロセッサ。
【請求項２６】
請求項２５に記載のプロセッサにおいて、
前記署名チャレンジを送信することは、前記署名チャレンジを表す音信号を送信することを備えたプロセッサ。
【請求項２７】
請求項２３に記載のプロセッサにおいて、
前記チャレンジを受信することは、前記チャレンジを表す音信号を受信することを備えたプロセッサ。
【請求項２８】
ユーザコンポーネント内で使用される方法であって、
チャレンジを生成することであって、前記チャレンジは、人間可読フォームで前記チャレンジのソースを含むことと、
前記チャレンジのソースを人間可読フォームで送信することと
を備えた方法。
【請求項２９】
署名されたチャレンジを受信することを更に備えた請求項２８に記載の方法。
【請求項３０】
前記署名されたチャレンジを受信することは、前記署名されたチャレンジの音響表示を受信することを備えた請求項２９に記載の方法。
【請求項３１】
前記チャレンジを送信することは、前記チャレンジの音響表示を送信することを備えた請求項２８に記載の方法。
【請求項３２】
前記署名されたチャレンジを暗号鍵として用いて、データを暗号化することを更に備えた請求項２８に記載の方法。
【請求項３３】
前記署名されたチャレンジを削除することを更に備えた請求項３２に記載の方法。
【請求項３４】
前記署名されたチャレンジを用いて、データを復号することを更に備えた請求項２８に記載の方法。
【請求項３５】
前記署名されたチャレンジを削除することを更に備えた請求項３４に記載の方法。
【請求項３６】
チャレンジを生成する手段であって、前記チャレンジは、人間可読フォームで前記チャレンジのソースを含む手段と、
前記チャレンジのソースを人間可読フォームで送信する手段と
を備えたユーザコンポーネント。
【請求項３７】
署名されたチャレンジを受信する手段を更に備えた請求項３６に記載のユーザコンポーネント。
【請求項３８】
前記署名されたチャレンジを受信する手段は、前記署名されたチャレンジの音響表示を受信するように構成されたマイクロフォンを備えた請求項３７に記載のユーザコンポーネント。
【請求項３９】
前記チャレンジを送信する手段は、前記チャレンジの音響表示を送信するように構成されたスピーカを備えた請求項３６に記載のユーザコンポーネント。
【請求項４０】
前記署名されたチャレンジを暗号鍵として用いて、データを暗号化する手段を更に備えた請求項３６に記載のユーザコンポーネント。
【請求項４１】
前記署名されたチャレンジを削除する手段を更に備えた請求項４０に記載のユーザコンポーネント。
【請求項４２】
前記署名されたチャレンジを用いて、データを復号する手段を更に備えた請求項３６に記載のユーザコンポーネント。
【請求項４３】
前記署名されたチャレンジを削除する手段を更に備えた請求項４２に記載のユーザコンポーネント。
【請求項４４】
ユーザコンポーネント内で使用するためのプロセッサであって、
チャレンジを生成することであって、前記チャレンジは、人間可読フォームで前記チャレンジのソースを含むことと、
前記チャレンジのソースを人間可読フォームで送信することと
を制御するように構成されたプロセッサ。
【請求項４５】
前記プロセッサは、前記チャレンジの音響表示を送信することによって前記チャレンジを送信する請求項４４に記載のプロセッサ。
【請求項４６】
前記プロセッサは、前記署名されたチャレンジを暗号鍵として用いて、データを暗号化することを制御するように更に構成された請求項４４に記載のプロセッサ。
【請求項４７】
前記プロセッサは、前記署名されたチャレンジを削除することを制御するように更に構成された請求項４６に記載のプロセッサ。
【請求項４８】
前記プロセッサは、前記署名されたチャレンジを用いて、データを復号することを制御するように更に構成された請求項４４に記載のプロセッサ。
【請求項４９】
前記プロセッサは、前記署名されたチャレンジを削除することを制御するように更に構成された請求項４８に記載のプロセッサ。